(57)【要約】    【課題】      ダイレクトコンバージョン等ＲＦ回路からベースバンド信号に重畳されるＤＣオフセット成分を除去する方法とそれを用いた受信ビット誤り率の劣化を抑制すること。    【解決手段】  ＤＣオフセット推定手段１４１ａ，１４１ｂにより、受信ベースバンド信号に重畳されるＤＣオフセット成分のＤＣプロファイルをディジタル信号処理で推定する。このＤＣオフセット成分を減算器１４２ａ，１４２ｂにより演算で除去する。これにより、定常的なＤＣオフセット電圧に加えて受信信号に重畳されるＤＣ電圧変動も抑制し受信ビット誤り率の劣化を抑制することができる。また、補償の処理を全てディジタル信号処理で行うので特性が安定し、アナログ素子を必要とせず、消費電力が小さくなる。  【選択図】      図１
2006086768.tif 000002
【特許請求の範囲】
【請求項１】
ディジタル値に変換されたベースバンドの受信Ｉ,Ｑデータを蓄積するメモリ手段と、前記受信Ｉ,ＱデータをもとにＤＣオフセットプロファイル推定のための部分平均値を算出する部分平均算出手段と、
前記部分平均算出手段により算出した前記部分平均値に基づいて予め用意されたパターンのＤＣオフセットプロファイル候補のうち尤もらしい１つのＤＣオフセットプロファイルを選択するＤＣプロファイル選択手段と、
前記ＤＣプロファイル選択手段で選択したＤＣオフセットプロファイルに基づく各区間のＤＣオフセット電圧の計算を行うＤＣオフセット電圧計算手段と、を備えるＤＣオフセット推定手段と、
前記受信Ｉ,Ｑデータから前記ＤＣオフセット電圧計算手段により算出された前記ＤＣオフセット電圧成分を除去する減算器と、を具備する受信装置。
【請求項２】
前記ＤＣオフセット推定手段は、前記部分平均算出手段により算出した前記部分平均値のうち差分の絶対値の最大値を探索する探索手段を具備する請求項１記載の受信装置。
【請求項３】
前記ＤＣオフセット推定手段は、ＤＣオフセット処理の単位処理区間をＮ個のシンボルより成る受信ベースバンド信号の時系列サンプルRI,Q(j,t) （j: ＤＣオフセット処理の単位処理区間のインデックス  j=1..、t:単位区間中のシンボルインデックス, t=1..N）として、RI,Q(j,t)に対して{N1,N2,・・・NI}個から成るI個の部分推定区間を設定し、その区間毎の部分推定値M(j, x)(x:部分推定区間のインデックス, x=1..I)をそれぞれ求め、隣接区間との差分の絶対値により時系列サンプルRI,Q(t)全体のＤＣオフセットプロファイルを推定し、
前記減算器は、ＤＣオフセットのプロファイルを時系列サンプルRI,Q(t)から差し引くことでベースバンド信号の時系列サンプルR’I,Q(j,t)を計算する請求項１記載の受信装置。
【請求項４】
前記ＤＣオフセット推定手段は、前記区間毎の部分推定値M(j, x)と隣接する１つ前の部分推定値M(j, x-1)との差分の絶対値がしきい値ｔｈ１以下の場合には、部分推定の第xの区間と第(x-1)の区間は一つの部分推定の区間としてみなす請求項３に記載の受信装置。
【請求項５】
前記ＤＣオフセット推定手段は、前記部分推定区間M(j, x)の中で、隣接する部分推定区間の差分の絶対値が最大となる部分推定区間のインデックスx=xmaxを探索して求め、xmaxまでの部分推定区間の部分推定値M(j, 1)..M(j, xmax)とM(j, xmax +1)..M(j, I)の２つの部分推定区間によるＤＣオフセットプロファイルを推定し、オフセット除去を行う請求項２から請求項４のいずれかに記載の受信装置。
【請求項６】
前記ＤＣオフセット推定手段は、前記隣接する部分推定区間の差分の絶対値が前記しきい値ｔｈ１以下の場合には前記xmaxは無しとみなして、M(j, 1)..M(j, I)までの部分推定区間を一つの推定区間としてＤＣオフセットプロファイルを推定し、オフセット除去を行う請求項３または請求項４記載の受信装置。
【請求項７】
前記ＤＣオフセット推定手段は、前回のＤＣオフセット除去処理で得られたR’I,Q(j-1, t)を入力とする復調手段から得られる受信尤度値に応じて、今回のR’I,Q(j, t)を求めるための処理における前記しきい値ｔｈ１を制御する請求項４記載の受信装置。
【請求項８】
前記ＤＣオフセット推定手段は、前記隣接する部分推定区間の差分の絶対値がしきい値ｔｈ１以下で、且つその状態が複数の処理単位区間に連続しておよぶ場合、且つ前記xmaxは無しと見なしてM(j, 1)..M(j, I)までの部分推定区間を一つの推定区間として求めたＤＣオフセットプロファイルM(j,1..I)と、所定のＬで定めたその過去Ｌ-1個の処理単位区間のＤＣオフセットプロファイルM(j-(L-1), 1..I)〜M(j-1, 1..I)の移動平均の差分の絶対値がしきい値ｔｈ４以下の場合、M(j,1..I)とM(j-(L-1), 1..I)〜M(j-1, 1..I)との平均値を現在の処理単位区間におけるＤＣオフセットプロファイルとしてＤＣオフセット補正処理することでR’I,Q(j, t)を求める請求項４から請求項８のいずれかに記載の受信装置。
【請求項９】
前記ＤＣオフセット推定手段は、前記前回の処理単位におけるＤＣオフセット除去処理で得られたベースバンド信号の時系列サンプルR’I,Q(j,t)を入力とする復調手段から得られた受信尤度値に応じて前記しきい値ｔｈ１及びｔｈ４を制御する請求項７または請求項８記載の受信装置。
【請求項１０】
前記ＤＣオフセット推定手段は、複素ベースバンドサンプルＩ，Ｑともに独立して処理される請求項１から請求項９のいずれかに記載の受信装置。
【請求項１１】
前記ＤＣオフセット推定手段の出力によるベースバンド信号の時系列サンプルR’I,Q(j,t)を用いて復調を行う復調手段を具備する請求項３から請求項１０のいずれかに記載の受信装置。
【請求項１２】
ＤＣオフセットプロファイル推定のための部分平均値を算出する部分平均算出ステップと、
前記部分平均算出ステップで算出した前記部分平均値に基づいてＤＣオフセットプロファイル候補のうち尤もらしい１つのＤＣオフセットプロファイルを選択するＤＣプロファイル選択ステップと、
前記ＤＣプロファイル選択ステップで選択したＤＣオフセットプロファイルに基づく各区間のＤＣオフセット電圧の計算を行うＤＣオフセット電圧計算ステップと、からなるＤＣオフセット推定ステップと、
前記ＤＣオフセット電圧計算ステップにより算出された前記ＤＣオフセット電圧成分を除去する減算ステップと、を具備するＤＣオフセット除去方法。
【発明の詳細な説明】
【技術分野】
【０００１】
本発明は、携帯電話などディジタル通信を行う無線通信端末装置および有線通信端末装置などのＤＣオフセット除去方法及びそれを用いた受信装置に関し、特にＧＳＭ、ＵＳ−ＴＤＭＡ、ＰＤＣなどＴＤＭＡ方式の通信システムのほか、ＩＳ９５、Ｗ−ＣＤＭＡおよびＵＭＴＳ等のＣＤＭＡ方式の通信システムに用いる受信装置に関する。
【背景技術】
【０００２】
近年、携帯電話を始めとする無線通信端末の発展に伴って、その小型化、低価格化を実現する手段の一つとしてダイレクトコンバージョンが主流となりつつある。
【０００３】
ダイレクトコンバージョンは、高周波信号をベースバンド信号へ中間周波数変換を伴わずに変換する方式で、中間周波数のフィルタが不要になるなど低消費電力化や小型化に有利である。
【０００４】
しかし、ダイレクトコンバージョンは、所望周波数がＤＣ成分を含むベースバンド帯域に変換されるため、従来のヘテロダイン方式と比べてＤＣオフセット電圧が比較的大きい。また、ダイレクトコンバージョンは、自己混合と外界からの干渉電力の作用によりＤＣオフセット電圧が変動する欠点を持っている。これは、ベースバンド部にとって復調性能の劣化と干渉波抑圧特性の劣化の原因となっている。
【０００５】
一般的なＤＣオフセット電圧の除去方法としては、Ａ／Ｄ変換器の手前にコンデンサを挿入することによるＡＣカップリングがある。図１４は、ＡＣカップリングによりＤＣオフセット電圧を除去する方法を用いた従来の受信装置の構成を示すブロック図である。
【０００６】
図１４に示すように、この受信装置１０は、アンテナ１１、ＲＦ受信部２０、アナログ・ベースバンド部３０を備えている。
【０００７】
ＲＦ受信部２０は、バンドパスフィルタ（ＢＰＦ）２１，２４、低雑音増幅器（ＬＮＡ）２２、周波数変換部２３、直交ミキサ２５、ローパスフィルタ（ＬＰＦ）２６ａ，２６ｂ、可変利得増幅器（ＰＧＡ）２７ａ，２７ｂを備えている。
【０００８】
アナログ・ベースバンド部３０は、コンデンサ３１ａ，３１ｂ、ローパスフィルタ（ＬＰＦ）３２ａ，３２ｂ、増幅器３３ａ，３３ｂ、Ａ／Ｄ変換器３４ａ，３４ｂを備えている。
【０００９】
図１４において、アンテナ１１が受信した電波（受信信号）は、ＲＦ受信部２０に入力される。ＲＦ受信部２０では、バンドパスフィルタ２１、低雑音増幅器２２、周波数変換部２３、バンドバスフィルタ２４、直交ミキサ２５を介して、入力された受信信号がベースバンド信号に変換され、ローパスフィルタ２６ａ，２６ｂ、可変利得増幅器２７ａ，２７ｂを経てアナログ・ベースバンド部３０に送られる。
【００１０】
アナログ・ベースバンド部３０では、まずコンデンサ３１ａ，３１ｂでＤＣ電圧が除去されたのち、ローパスフィルタ３２ａ，３２ｂ、増幅器３３ａ，３３ｂを介して、Ａ／Ｄ変換器３４ａ，３４ｂでディジタルＩ，Ｑ信号を得る。
【００１１】
また、ダイレクトコンバージョンを対象とした他のＤＣオフセット電圧の除去方法を用いた受信装置として、Ａ／Ｄ変換後に検知したＤＣオフセット電圧をＤ／Ａ変換し、ＤＣオフセット電圧をミキサからＡ／Ｄ変換器までの間にフィードバックしてキャンセルさせるものが知られている（例えば、特許文献１参照）。
【特許文献１】特開平１０−１３４８２号公報
【発明の開示】
【発明が解決しようとする課題】
【００１２】
しかしながら、前記従来のＡＣカップリングによりＤＣオフセット電圧を除去する方法を用いた受信装置には、主に２つの問題点がある。
【００１３】
第１の問題点は、図１４に示す信号点Ｘの電圧変動に対する信号点Ｙにおける電圧中央値変動である。図１５（ａ）は、図１４に示す信号点Ｘにおける受信信号中の電圧変動を示す図である。図１５（ｂ）は、図１４に示す信号点Ｙにおいて生じる電圧中央値変動を示す図である。
【００１４】
つまり、この受信装置では、図１５（ａ）に示すように、図１４の信号点Ｘにおける受信信号中の電圧変動ｖにより、図１４の信号点Ｙにおいてコンデンサ３１ａ，３１ｂの容量とローパスフィルタ３２ａ，３２ｂの時定数とにより、図１５（ｂ）に示す区間Ａの電圧中央値に変動が生じてしまう。
【００１５】
第２の問題点は、プレヒート時間の問題である。図１６（ａ）は、図１４に示す信号点Ｘにおける受信信号を示す図である。図１６（ｂ）は、図１４に示す信号点Ｙにおけるプレヒート時間を示す図である。
【００１６】
つまり、ＴＤＭＡ方式の受信装置では、受信信号がバースト送信される。そこで、ＴＤＭＡ方式の受信装置では、通常は消費電力の削減のため、図１６（ａ）に示す区間Ｂのバースト受信の処理中のみＲＦ受信部２０とアナログ・ベースバンド部３０とを通電し、それ以外の区間Ｃ，Ｄは通電しない処理を行っている。
【００１７】
しかし、このような処理を行う受信装置では、図１４の信号点Ｘおよび信号点Ｙにおける電圧動作点を安定化させるために、コンデンサ３１ａ，３１ｂの充電時間が必要となる。従って、この受信装置においては、図１６（ｂ）に示す区間Ｂの手前に、ＲＦ受信部２０とアナログ・ベースバンド部３０とを先行的に通電する区間（プレヒート時間）Ｅを確保する必要がある。このため、この受信装置は、バッテリー駆動を前提とする携帯電話などの通信機器に適用した場合に消費電力を増加させてしまう欠点があった。
【００１８】
一方、前記特許文献１記載の受信装置では、Ｄ／Ａ変換器、およびＤＣオフセット電圧をキャンセルさせるためのアナログ演算にかかる回路素子が新たに必要となる。また、この受信装置では、Ａ／Ｄ変換とＤ／Ａ変換に伴うループ遅延が原理上発生するため、ループ遅延が無視できないような比較的急峻なＤＣ電圧変動に対して応答できないという課題が残る。
【００１９】
本発明は、かかる点に鑑みてなされたもので、受信中の定常的なＤＣオフセット電圧および受信ベースバンド信号に重畳されて変動するＤＣオフセット電圧を除去することができる受信装置を提供することを目的とする。
【課題を解決するための手段】
【００２０】
かかる課題を解決するため、本発明の受信装置は、ディジタル値に変換されたベースバンドの受信Ｉ,Ｑデータを蓄積するメモリ手段と、前記受信Ｉ,ＱデータをもとにＤＣオフセットプロファイル推定のための部分平均値を算出する部分平均算出手段と、前記部分平均算出手段により算出した前記部分平均値に基づいて予め用意されたパターンのＤＣオフセットプロファイル候補のうち尤もらしい１つのＤＣオフセットプロファイルを選択するＤＣプロファイル選択手段と、前記ＤＣプロファイル選択手段で選択したＤＣオフセットプロファイルに基づく各区間のＤＣオフセット電圧の計算を行うＤＣオフセット電圧計算手段と、を備えるＤＣオフセット推定手段と、前記受信Ｉ,Ｑデータから前記ＤＣオフセット電圧計算手段により算出された前記ＤＣオフセット電圧成分を除去する減算器と、を具備する構成を採る。
【発明の効果】
【００２１】
本発明によれば、受信ベースバンド信号に重畳されるＤＣオフセット成分のＤＣプロファイルをディジタル信号処理で推定し、演算で除去することによりＤＣオフセット成分を理想的に除去することができるので、受信ビット誤り率の増加を最小限に抑制できる。
【発明を実施するための最良の形態】
【００２２】
以下、本発明の実施の形態について、図面を参照して詳細に説明する。なお、各図において同一の構成または機能を有する構成要素及び相当部分には、同一の符号を付してその説明は繰り返さない。
【００２３】
（実施の形態１）
図１は、本発明の実施の形態１に係る受信装置の概略構成を示すブロック図である。図１に示すように、本実施の形態１に係る受信装置１００は、アンテナ１１０、ＲＦ受信部１２０、アナログ・ベースバンド部１３０、ＤＣオフセット除去手段１４０ａ，１４０ｂ、復調処理部１５０、受信メモリ１６０ａ,１６０ｂを備えている。
【００２４】
図１において、アンテナ１１０は、受信した受信信号をＲＦ受信部１２０へ入力する。ＲＦ受信部１２０は、入力された受信信号をベースバンド信号に変換してアナログ・ベースバンド部１３０へ送る。アナログ・ベースバンド部１３０は、入力されたベースバンド信号を帯域制限とＡ／Ｄ変換を行った後、ディジタルＩ，Ｑ信号として出力する。受信メモリ１６０ａ,１６０ｂは、ディジタルＩ、Ｑ信号を所定のＴＤＭＡバースト単位で蓄積し、ＤＣオフセット除去手段１４０ａ，１４０ｂのＤＣオフセット推定手段１４１ａ，１４１ｂおよび減算器１４２ａ、１４２ｂに送出する。なお、受信メモリ１６０ａ,１６０ｂは、一般的に行われる、Ａ／Ｄ変換後の受信窓分の受信データの蓄積の処理で使用されるメモリと共用することも可能である。これによって蓄積メモリを共用化できるため、使用するメモリ量を削減できる。
【００２５】
ＤＣオフセット除去手段１４０ａ，１４０ｂは、アナログ・ベースバンド部１３０から入力されたディジタルＩ，Ｑ信号からＤＣオフセット成分を除去し、ＤＣオフセット成分を除去した後のディジタルＩ，Ｑ信号を復調処理部１５０へ送る。
【００２６】
復調処理部１５０は、等化器などで構成され、ＤＣオフセット除去手段１４０ａ，１４０ｂにおいてＤＣオフセット成分が除去されたディジタルＩ，Ｑ信号を使って送信系列を復調する。
【００２７】
ＤＣオフセット除去手段１４０ａ，１４０ｂは、ＤＣオフセット推定手段１４１ａ，１４１ｂ、減算器１４２ａ，１４２ｂで構成されている。ＤＣオフセット推定手段１４１ａ，１４１ｂは、部分平均算出手段１４１１ａ，１４１１ｂ、ＤＣプロファイル選択手段１４１２ａ，１４１２ｂ、ＤＣオフセット電圧計算手段１４１３ａ，１４１３ｂで構成されている。
【００２８】
本実施の形態１に係る受信装置１００においては、ＤＣオフセット推定手段１４１ａ，１４１ｂでの処理が４段階で行われる。
【００２９】
第１段階の処理では、部分平均算出手段１４１１ａ，１４１１ｂにおいて、ＤＣオフセットプロファイル推定のための部分平均値M(j,1), M(j,2), M(j,3), M(j,4)の算出が行われる。
【００３０】
この第１段階の処理においては、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。これらの部分平均値M(j,1), M(j,2), M(j,3), M(j,4)は、次式１により求められる。
【数１】
2006086768.tif 000003
【００３１】
第２段階の処理では、ＤＣプロファイル選択手段１４１２ａ，１４１２ｂにおいて、前記第１段階の処理の結果である部分平均値M(j,1), M(j,2), M(j,3), M(j,4)をもとに、図３に示すDC_1からDC_8のＤＣオフセットプロファイル推定のためのＤＣオフセットプロファイル候補のうち尤もらしい１つのＤＣオフセットプロファイルの選択が行われる。
【００３２】
つまり、このＤＣプロファイル選択手段１４１２ａ，１４１２ｂでは、次式２に示すように、部分平均値M(j,1), M(j,2), M(j,3), M(j,4)の隣接同士の差分の絶対値を求め、それらとしきい値th1との比較を行う。
【数２】
2006086768.tif 000004
【００３３】
式２において、もし部分平均値M(j,1), M(j,2), M(j,3), M(j,4)の隣接同士の差分の絶対値が、しきい値th1以上であれば、オフセット電圧による変動として処理し、しきい値th1より小さければその部分推定の区間は同一ＤＣオフセット電圧であるとみなす。例えば、｜M(j,1)−M(j,2)｜≧th1かつ｜M(j,3)−M(j,4)｜≧th1が成り立てばDC_5が選択され、いずれも成立しなければDC_8が選択される動作となる。
【００３４】
第３段階の処理では、ＤＣオフセット電圧計算手段１４１３ａ，１４１３ｂにおいて、ＤＣプロファイル選択手段１４１２ａ，１４１２ｂで選択したＤＣオフセットプロファイルに基づく各区間のＤＣオフセット電圧の計算を行う。
【００３５】
この計算式は、式３に示すとおりである。ここでは、ＤＣオフセットプロファイルで変動点とみなされたシンボルインデックスtをバウンダリとみなし、各境界間の平均値を計算する。但し、式３においてAv(j,a..b)はバーストインデックスj、シンボルインデックスaからbまでのシンボル系列RＩ，Ｑ(j,t)の振幅平均を計算する演算を示す。
【数３】
2006086768.tif 000005
【００３６】
４第段階の処理では、式４に示すように、推定されたＤＣオフセット電圧Rdc(j,t)をもとにしたＤＣオフセット電圧成分を減算器１４２ａ，１４２ｂで除去する。
【数４】
2006086768.tif 000006
【００３７】
そして、この４第段階の処理を終えたシンボルインデックス毎の減算結果R’Ｉ，Ｑ(j,1..N)が復調処理部１５０に入力される。
【００３８】
なお、ＤＣオフセット推定手段１４１ａ，１４１ｂの処理は、Ｉ，Ｑ独立で行われる。
【００３９】
また、本例では、第１段階の処理において、ベースバンド系列RＩ，Ｑ(j,t)を４等分に分割した例について説明したが、この分割数は４に限られるものではない。
【００４０】
さらに、本例におけるシンボルインデックスt1,t2,t3,t4は、1<t1<t2<t3<t4<Nの条件を満たせば任意に決めることができる。
【００４１】
（実施の形態２）
次に、本発明の実施の形態２に係る受信装置について説明する。図４は、本実施の形態２に係る受信装置のＤＣオフセット除去手段の構成を示すブロック図である。図４に示すように、この受信装置４００は、ＤＣオフセット推定手段１４１ａ，１４１ｂの構成が実施の形態１に係る受信装置１００と異なる。
【００４２】
すなわち、この受信装置４００におけるＤＣオフセット推定手段１４１ａ，１４１ｂは、受信装置１００のＤＣプロファイル選択手段１４１２ａ，１４１２ｂの代わりに、Ｍａｘ値探索手段１４１４ａ，１４１４ｂと、ＤＣプロファイル選択手段１４１５ａ，１４１５ｂとが設けられている。
【００４３】
本実施の形態２に係る受信装置４００においては、ＤＣオフセット推定手段１４１ａ，１４１ｂでの処理が５段階で行われる。
【００４４】
第１段階の処理は、実施の形態１に係る受信装置１００におけるＤＣオフセット推定手段１４１ａ，１４１ｂでの第１段階の処理と同じである。すなわち、本例の第１段階の処理では、部分平均算出手段１４１１ａ，１４１１ｂにおいて、ＤＣオフセットプロファイル推定のための部分平均値M(j,1), M(j,2), M(j,3), M(j,4)の算出が行われる。
【００４５】
この第１段階の処理においては、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【００４６】
第２段階の処理では、Ｍａｘ値探索手段１４１４ａ，１４１４ｂにおいて、前記式１で求めた各部分平均値M(j,1)〜M(j,4)のうち差分の絶対値の最大値を探索する。そして、次式５で探索された最大値Mmax(j,1..4)は、第３段階の処理に送られる。
【数５】
2006086768.tif 000007
【００４７】
第３段階の処理では、ＤＣプロファイル選択手段１４１５ａ，１４１５ｂにおいて、前記第２段階の処理の結果である部分平均値の最大値Mmax(j,1..4)をしきい値th2と比較し、図５に示すDC_1〜DC_8のＤＣオフセットプロファイル候補のうち尤もらしい１つのＤＣオフセットプロファイルの選択が行われる。
【００４８】
ここで、次式６が成立すればオフセット電圧による変動として処理し、成立しなければその処理単位区間は同一ＤＣオフセット電圧であるとみなす。例えば、Mmax(j,1..4)＝｜M(j,2)−M(j,3)｜≧th2 が成立する場合、DC_2が選択され、成立しない場合にはDC_8が選択される動作となる。
【数６】
2006086768.tif 000008
【００４９】
第４段階の処理では、ＤＣオフセット電圧計算手段１４１３ａ，１４１３ｂにおいて、選択したＤＣオフセットプロファイルに基づく各区間のＤＣオフセット電圧の計算を行う。この計算は前記式３に示すとおりである。但し、ここで取り得るＤＣオフセットプロファイル候補は、DC_1〜DC_3, DC_8である。
【００５０】
すなわち、ＤＣオフセットプロファイルで変動点と見なされたシンボルインデックスtをバウンダリとみなし、各境界間の平均値を計算する。但し、前記式３においてAv(j,a..b)は、バーストインデックスj、シンボルインデックスaからbまでのシンボル系列RＩ，Ｑ(j,t)の振幅平均を計算する演算を示す。
【００５１】
第５段階の処理では、前記式４に示すように、ＤＣオフセット推定手段１４１ａ，１４１ｂで推定されたＤＣオフセット電圧Rdc(j,t)をもとにしたＤＣオフセット電圧成分を減算器１４２ａ，１４２ｂで除去する。そして、前記式４の結果から、シンボルインデックス毎の減算結果R’Ｉ，Ｑ(j,1..N)が復調処理部１５０に入力される。
【００５２】
なお、ＤＣオフセット推定手段１４１ａ，１４１ｂの処理は、Ｉ，Ｑ独立で行われる。
【００５３】
また、本例では前記分割数を４と仮定したが、これによらず決めることができる。
【００５４】
また、本例におけるシンボルインデックスt1,t2,t3,t4は、1<t1<t2<t3<t4<Nの条件を満たせば任意に決めることができる。
【００５５】
さらに、Max値探索手段１４１４ａ，１４１４ｂでは、部分平均値の最大値をＤＣプロファイル選択手段１４１５ａ，１４１５ｂに送るとしたが、最大値から２個以上の探索結果をもとにＤＣプロファイルを選択する方法も考えられる。
【００５６】
（実施の形態３）
次に、本発明の実施の形態３に係る受信装置について説明する。図６は、本実施の形態３に係る受信装置のＤＣオフセット除去手段の構成を示すブロック図である。図６に示すように、この受信装置６００は、ＤＣオフセット推定手段１４１ａ，１４１ｂの構成が実施の形態１に係る受信装置１００と異なる。
【００５７】
すなわち、この受信装置６００におけるＤＣオフセット推定手段１４１ａ，１４１ｂは、受信装置１００のＤＣオフセット電圧計算手段１４１３ａ，１４１３ｂをＤＣオフセット電圧計算手段１４１６ａ，１４１６ｂに置き換えた構成を有している。
【００５８】
本実施の形態３に係る受信装置６００においては、ＤＣオフセット推定手段１４１ａ，１４１ｂでの処理が４段階で行われる。
【００５９】
第１段階の処理は、実施の形態１に係る受信装置１００におけるＤＣオフセット推定手段１４１ａ，１４１ｂでの第１段階の処理と同じである。すなわち、本例の第１段階の処理では、部分平均算出手段１４１１ａ，１４１１ｂにおいて、前記式１に示す部分平均値M(j,1), M(j,2), M(j,3), M(j,4)の算出を行う。
【００６０】
この第１段階の処理においては、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【００６１】
第２段階の処理では、ＤＣプロファイル選択手段１４１２ａ、１４１２ｂにおいて、前記第１段階の処理の結果である部分平均値M(j,1), M(j,2), M(j,3), M(j,4)をもとに図３に示すDC_1からDC_8のＤＣオフセットプロファイル候補のうち尤もらしい１つのＤＣオフセットプロファイルを選択する。
【００６２】
ＤＣプロファイル選択手段１４１２ａ、１４１２ｂでは、前記式２と同様、これら部分平均値の隣接同士の差分の絶対値を求め、それらとしきい値th1との比較を行う。この比較の例示は実施の形態１に係る受信装置１００と同様なので省略する。そして、前記式２において、３つの式のいずれも成立しなければDC_8が選択される動作となる。
【００６３】
第３段階の処理では、ＤＣオフセット電圧計算手段１４１６ａ，１４１６ｂにおいて、ＤＣプロファイル選択手段１４１２ａ、１４１２ｂで選択したＤＣオフセットプロファイルに基づく各区間のＤＣオフセット電圧の計算を行う。
【００６４】
ここで、もしＤＣプロファイル選択手段１４１２ａ、１４１２ｂの結果が、DC_1〜DC_7であれば、前記計算は前記式３の第１から第７の式を選択する。しかし、ＤＣプロファイル選択手段１４１２ａ、１４１２ｂでの選択の結果がDC_8の場合には、過去直前までの連続したＬ−１個の処理単位区間におけるＤＣオフセットプロファイルがDC_8であり、かつ現在のDC_8と過去Ｌ−１個の処理単位区間のDC_8の平均値との差分の絶対値がしきい値th3以下である場合、図１２に示すように過去Ｌ−１個の処理単位区間のＤＣオフセット電圧の平均化区間で移動平均を行う。そして現在を含めＬ個の単位処理区間の平均値を今回の処理におけるDCオフセット電圧値とする（式７のDC_8の処理に対応）。
【００６５】
もう一つの動作として、ＤＣプロファイル選択手段１４１２ａ、１４１２ｂでの選択の結果、DC_8が選択されていれば、処理単位区間Ｌは１を初期値として、インクリメントされて所定の最大値Ｌmaxまで増加する。あるいは、ＤＣプロファイル選択手段１４１２ａ、１４１２ｂでの選択の結果、DC_8以外の場合には、処理単位区間Ｌの値は１に初期化される。
【００６６】
すなわち、ＤＣオフセットプロファイルで変動点とみなされたシンボルインデックスtをバウンダリとみなし、処理単位区間Ｌの各境界間の平均値を計算する。但し、次式７において、Av(j,a..b)は、バーストインデックスj、シンボルインデックスaからbまでのシンボル系列RＩ，Ｑ(j,t)の振幅平均を計算する演算を示す。また、｛c,d｝は現在の処理単位区間のバーストにおける平均値cとdとはバーストインデックスによって異なる値であることを示す。
【数７】
2006086768.tif 000009
【００６７】
第４段階の処理では、前記式４に示したように、減算器１４２ａ，１４２ｂにより、ＤＣオフセット推定手段１４１ａ，１４１ｂで推定されたＤＣオフセット電圧Rdc(j,t)をもとにしたＤＣオフセット電圧成分の除去を行う。そして、前記式４から得られた、シンボルインデックス毎の減算結果R’Ｉ，Ｑ(j,1..N)が復調処理部１５０に入力される。
【００６８】
なお、ＤＣオフセット推定手段１４１ａ，１４１ｂの処理は、Ｉ，Ｑ独立で行われる。
【００６９】
また、本例では、前記分割数を４と仮定したが、この分割数はこれによらず決めることができる。
【００７０】
さらに、本例におけるシンボルインデックスt1,t2,t3,t4は、1<t1<t2<t3<t4<Nの条件を満たせば任意に決めることができる。
【００７１】
（実施の形態４）
次に、本発明の実施の形態４に係る受信装置について説明する。図７は、本実施の形態４に係る受信装置のＤＣオフセット除去手段の構成を示すブロック図である。図７に示すように、この受信装置７００は、ＤＣオフセット推定手段１４１ａ，１４１ｂの構成が実施の形態２に係る受信装置４００と異なる。
【００７２】
すなわち、この受信装置７００におけるＤＣオフセット推定手段１４１ａ，１４１ｂは、実施の形態２に係る受信装置４００のＤＣオフセット電圧計算手段１４１３ａ，１４１３ｂの代わりに、実施の形態３に係る受信装置６００のＤＣオフセット電圧計算手段１４１６ａ，１４１６ｂを使用する構成を有している。
【００７３】
本実施の形態４に係る受信装置７００においては、ＤＣオフセット推定手段１４１ａ，１４１ｂでの処理が５段階で行われる。
【００７４】
第１段階の処理は、実施の形態１に係る受信装置１００におけるＤＣオフセット推定手段１４１ａ，１４１ｂでの第１段階の処理と同じである。すなわち、本例の第１段階の処理では、部分平均算出手段１４１１ａ，１４１１ｂにおいて、前記式１に示す部分平均値M(j,1), M(j,2), M(j,3), M(j,4)の算出を行う。
【００７５】
この第１段階の処理においては、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【００７６】
第２段階の処理は、実施の形態２に係る受信装置４００におけるＤＣオフセット推定手段１４１ａ，１４１ｂでの第２段階の処理と同じである。すなわち、第２段階の処理では、Ｍax値探索手段１４１４ａ，１４１４ｂにおいて、前記式数１で求めた各部分平均値M(j,1)〜M(j,4)のうち差分の絶対値の最大値を探索する。そして、前記式５で探索された最大値Mmax(j,1..4)は、第３段階の処理に送られる。
【００７７】
第３段階の処理では、ＤＣプロファイル選択手段１４１５ａ，１４１５ｂにおいて、前記第２段階の処理の結果である部分平均値の最大値Mmax(j,1..4)をしきい値th2と比較し、図５に示すDC_1〜DC_8のＤＣオフセットプロファイル候補のうち尤もらしい１つのＤＣオフセットプロファイルの選択を行う。
【００７８】
ここで、前記式６が成立すればオフセット電圧による変動として処理し、成立しなければその処理単位区間は同一ＤＣオフセット電圧であるとみなす。例えば、Mmax(j,1..4)＝｜M(j,2)−M(j,3)｜≧th2 が成立する場合、DC_2が選択され、成立しない場合にはDC_8が選択される動作となる。
【００７９】
第４段階の処理は、実施の形態３に係る受信装置６００のＤＣオフセット電圧計算手段１４１６ａ，１４１６ｂでの処理と同じである。つまり、この第４段階の処理では、前記第３段階の処理において選択したＤＣオフセットプロファイルに基づく各区間のＤＣオフセット電圧の計算を行う。ここでの計算は、前記式７と等しいが、取り得る候補は、DC_1〜DC_3, DC_8なので、次式８のようになる。
【数８】
2006086768.tif 000010
【００８０】
ここで、もしＤＣプロファイル選択手段１４１５ａ、１４１５ｂの結果が、DC_1〜DC_3であれば、前記計算は前記式８の第１から３式を選択する。しかし、選択の結果がDC_8の場合には、過去直前までの連続したＬ−１個の処理単位区間におけるＤＣオフセットプロファイルもDC_8であり、かつ現在のDC_8と過去Ｌ−１個の処理単位区間のDC_8の平均値の差分の絶対値がしきい値th3以下である場合には、図１２に示すように過去Ｌ−１個の処理単位区間のＤＣオフセット電圧の平均化区間で移動平均を行う。そして現在を含めＬ個の単位処理区間の平均値を今回の処理におけるDCオフセット電圧値とする（式８のDC_8の式に対応）。ここで、Ｍax値探索手段１４１４ａ，１４１４ｂでの探索の結果、DC_8が選択されていれば処理単位区間Ｌは、１を初期値として、インクリメントされて所定の最大値Ｌmaxまで増加する。あるいはDC_8以外の場合には、処理単位区間Ｌの値は、１に初期化される。
【００８１】
すなわち、ここでは、ＤＣオフセットプロファイルで変動点とみなされたバーストインデックスjをバウンダリとみなし、処理単位区間Ｌの各境界間の平均値を計算する。
【００８２】
第５段階の処理では、前記式４に示したように、減算器１４２ａ，１４２ｂにより、ＤＣオフセット推定手段１４１ａ，１４１ｂで推定されたＤＣオフセット電圧Rdc(j,t)をもとにしたＤＣオフセット電圧成分の除去を行う。そして、前記式４の結果から、シンボルインデックス毎の減算結果R’Ｉ，Ｑ(j,1..N)が復調処理部１５０に入力される。
【００８３】
なお、ＤＣオフセット推定手段１４１ａ，１４１ｂでの処理は、Ｉ，Ｑ独立で行われる。
【００８４】
また、本例では、前記分割数を４と仮定したが、この分割数はこれによらず決めることができる。
【００８５】
また、本例におけるシンボルインデックスt1,t2,t3,t4は、1<t1<t2<t3<t4<Nの条件を満たせば任意に決めることができる。
【００８６】
また、Ｍax値探索手段１４１４ａ，１４１４ｂでは、部分平均値の最大値をＤＣプロファイル選択手段１４１５ａ，１４１５ｂに送るとしたが、最大値から２個以上の探索結果をもとにプロファイルを選択する方法も考えられる。
【００８７】
また、前記しきい値th2は、実施の形態２に係る受信装置４００のものと別ものとして考えることも可能である。
【００８８】
（実施の形態５）
次に、本発明の実施の形態５に係る受信装置について説明する。図８は、本実施の形態５に係る受信装置のＤＣオフセット除去手段の構成を示すブロック図である。図８に示すように、この受信装置８００は、ＤＣオフセット推定手段１４１ａ，１４１ｂの構成が実施の形態１に係る受信装置１００と異なる。
【００８９】
すなわち、この受信装置８００におけるＤＣオフセット推定手段１４１ａ，１４１ｂは、受信装置１００のＤＣプロファイル選択手段１４１２ａ，１４１２ｂをＤＣプロファイル選択手段１４１７ａ，１４１７ｂに置き換えた構成を有している。
【００９０】
また、この受信装置８００におけるＤＣプロファイル選択手段１４１７ａ，１４１７ｂは、復調処理部１５０からの、例えばバースト周期やデコーダフレーム周期での受信尤度Ｆを受け取る。この場合受信尤度Ｆは、バースト毎のＳＮＲ推定値、バースト毎のビット誤り率推定値、バースト毎のＲＳＳＩ値、バースト毎のトレーニングシーケンスの電力値、あるいはこれらを基にした値を用いることができる。
【００９１】
本実施の形態５に係る受信装置８００においては、ＤＣオフセット推定手段１４１ａ，１４１ｂでの処理が４段階で行われる。
【００９２】
第１段階の処理では、前述した部分平均算出手段１４１１ａ，１４１１ｂでの、部分平均値M(j,1), M(j,2), M(j,3), M(j,4)の算出を行う。ここでは、ベースバンド系列RＩ，Ｑ (j,t)が４等分に分割され、図２に示した各部分推定区間のサンプル系列RＩ，Ｑ(j,1..t1) , RＩ，Ｑ(j,t1+1..t2), RＩ，Ｑ(j,t2+1..t3), RＩ，Ｑ(j,t3+1..N) をもとに、それらを部分推定の区間として平均値を算出する。
【００９３】
第２段階の処理では、ＤＣプロファイル選択手段１４１７ａ，１４１７ｂにおいて、前記第１段階の処理の結果である部分平均値M(j,1), M(j,2), M(j,3), M(j,4)をもとに図３に示すDC_１からDC_8のＤＣオフセットプロファイル候補のうち尤もらしい１つのＤＣオフセットプロファイルを選択する。すなわち、ＤＣプロファイル選択手段１４１７ａ，１４１７ｂでは、これら部分平均値の隣接同士の差分の絶対値を求め、それらとしきい値th4と比較を行う。
【００９４】
ここで、しきい値th4は、受信尤度Ｆの関数である。このしきい値と受信尤度との関係を表１に示す。
【表１】
2006086768.tif 000011
【００９５】
表１において、F1 > F2 > F3で、F1が最も良好な受信状態を示す。また、しきい値th4の大小関係は、 0 < TH4_L < TH4_M < TH4_H である。これは、受信尤度Ｆが小さい場合には、Ｉ，Ｑ受信信号中に占める雑音成分の振幅の割合が高くなることで部分平均の誤差を生じやすくなるため、しきい値th4を高くする必要があるためである。
【００９６】
これにより、次式９の計算を行う。
【数９】
2006086768.tif 000012
【００９７】
この式９において、もししきい値th4以上であればＤＣオフセット電圧による変動として処理し、th4より小さければその部分推定の区間は同一ＤＣオフセット電圧であるとみなす。例えば、｜M(j,1)−M(j,2)｜≧th4かつ｜M(j,3)−M(j,4)｜≧th4 が成り立てばDC_5が選択され、いずれも成立しなければDC_8が選択される動作となる。
【００９８】
第３段階の処理は、実施の形態１に係る受信装置１００におけるＤＣオフセット推定手段１４１ａ，１４１ｂでの第３段階の処理と同じである。すなわち、第３段階の処理では、前記第２段階の処理で選択したＤＣオフセットプロファイルに基づく各区間のＤＣオフセット電圧の計算を行う。この計算は、前述した式３に示すとおりである。
【００９９】
第４段階の処理は、前記式４に示すように、ＤＣオフセット推定手段１４１ａ，１４１ｂで推定されたＤＣオフセット電圧Rdc(j,t)をもとにしたＤＣオフセット電圧成分の除去を減算器１４２ａ，１４２ｂで行う。その後、シンボルインデックス毎の減算結果R’Ｉ，Ｑ(j,1..N)が復調処理部１５０に入力される。
【０１００】
なお、ＤＣオフセット推定手段１４１ａ，１４１ｂの処理は、Ｉ，Ｑ独立で行われる。
【０１０１】
また、本例では、前記分割数を４と仮定したが、この分割数はこれによらず決めることができる。
【０１０２】
また、本例でのシンボルインデックスt1,t2,t3,t4は、1<t1<t2<t3<t4<Nの条件を満たせば任意に決めることができる。
【０１０３】
また、本例では、前記しきい値th4は３つ設定しているが、この数は３に限定されるものではない。
【０１０４】
また、前記しきい値th4は、表１の形ではなく関数で与えてもよい。
【０１０５】
（実施の形態６）
次に、本発明の実施の形態６に係る受信装置について説明する。図９は、本実施の形態６に係る受信装置のＤＣオフセット除去手段の構成を示すブロック図である。図９に示すように、この受信装置９００は、ＤＣオフセット推定手段１４１ａ，１４１ｂの構成が実施の形態２に係る受信装置４００と異なる。
【０１０６】
すなわち、この受信装置９００におけるＤＣオフセット推定手段１４１ａ，１４１ｂは、実施の形態２に係る受信装置４００のＤＣプロファイル選択手段１４１５ａ，１４１５ｂの代わりに、ＤＣプロファイル選択手段１４１８ａ，１４１８ｂを使用する構成を有している。
【０１０７】
また、この受信装置９００におけるＤＣプロファイル選択手段１４１８ａ，１４１８ｂは、復調処理部１５０からの受信尤度Ｆを受け取る。
【０１０８】
本実施の形態６に係る受信装置９００においては、ＤＣオフセット推定手段１４１ａ，１４１ｂでの処理が５段階で行われる。
【０１０９】
第１段階の処理は、実施の形態１に係る受信装置１００における第１段階の処理と同じである。すなわち、この第１段階の処理では、部分平均算出手段１４１１ａ，１４１１ｂにおいて、前記式１に示した部分平均値M(j,1), M(j,2), M(j,3), M(j,4)の算出を行う。ここでは、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【０１１０】
第２段階の処理は、実施の形態２に係る受信装置４００における第２段階の処理と同じである。すなわち、この第２段階の処理では、Ｍax値探索手段１４１４ａ，１４１４ｂにおいて前記式１で求めた各部分平均値M(j,1)〜M(j,4)のうち差分の絶対値の最大値を探索する。そして、｜M(j,1)−M(j,2)｜，｜M(j,2)−M(j,3)｜，｜M(j,3)−M(j,4)｜ のうち最大値は、Mmax(j,1..4)として第３段階の処理に送られる。
【０１１１】
第３段階の処理では、ＤＣプロファイル選択手段１４１８ａ，１４１８ｂにおいて、前記第２段階の処理の結果である部分平均値の最大値Mmax(j,1..4)をしきい値th4と比較し、図５に示すDC_1〜DC_3, DC_8のＤＣオフセットプロファイル候補のうち尤もらしい１つのＤＣオフセットプロファイルを選択する。ここで、しきい値th4は、実施の形態５に係る受信装置８００で説明した受信尤度Ｆを考慮したしきい値である。
【０１１２】
これにより、次式１０の計算を行う。
【数１０】
2006086768.tif 000013
【０１１３】
この式１０が成立すればオフセット電圧による変動として処理し、成立しなければその処理単位区間は同一ＤＣオフセット電圧であるとみなす。例えば、Mmax(j,1..4)＝｜M(j,2)−M(j,3)｜≧th4 が成立する場合、DC_2が選択され、成立しない場合にはDC_8が選択される動きとなる。
【０１１４】
第４段階の処理では、ＤＣオフセット電圧計算手段１４１３ａ，１４１３ｂにおいて、前記第３段階の処理で選択したＤＣオフセットプロファイルに基づく各区間のＤＣオフセット電圧の計算を行う。この計算は、前記式３に示したとおりである。但し、ここで取り得るＤＣオフセットプロファイル候補は、DC_1〜DC_3, DC_8である。
【０１１５】
第５段階の処理では、前記式４に示したように、ＤＣオフセット推定手段１４１ａ，１４１ｂで推定されたＤＣオフセット電圧Rdc(j,t)をもとにしたＤＣオフセット電圧成分を減算器１４２ａ，１４２ｂで除去する。そして、前記式４の結果から、シンボルインデックス毎の減算結果R’Ｉ，Ｑ(j,1..N)が復調処理部１５０に入力される。
【０１１６】
なお、ＤＣオフセット推定手段１４１ａ，１４１ｂの処理は、Ｉ，Ｑ独立で行われる。
【０１１７】
また、本例では前記分割数を４と仮定したが、この分割数はこれによらず決めることができる。
【０１１８】
また、本例でのシンボルインデックスt1,t2,t3,t4は、1<t1<t2<t3<t4<Nの条件を満たせば任意に決めることができる。
【０１１９】
さらに、Ｍax値探索手段１４１４ａ，１４１４ｂでは、部分平均値の最大値をＤＣプロファイル選択手段１４１８ａ，１４１８ｂに送るとしたが、最大値から２個以上の探索結果をもとにＤＣプロファイルを選択する方法も考えられる。
【０１２０】
（実施の形態７）
次に、本発明の実施の形態７に係る受信装置について説明する。図１０は、本実施の形態７に係る受信装置のＤＣオフセット除去手段の構成を示すブロック図である。図１０に示すように、この受信装置１０００は、ＤＣオフセット推定手段１４１ａ，１４１ｂの構成が実施の形態５に係る受信装置８００と異なる。
【０１２１】
すなわち、この受信装置１０００におけるＤＣオフセット推定手段１４１ａ，１４１ｂは、受信装置８００のＤＣプロファイル選択手段１４１７ａ，１４１７ｂとＤＣオフセット電圧計算手段１４１３ａ，１４１３ｂとを、ＤＣプロファイル選択手段１４１９ａ，１４１９ｂとＤＣオフセット電圧計算手段１４１６ａ，１４１６ｂとに置き換えた構成を有している。
【０１２２】
本実施の形態７に係る受信装置１０００においては、ＤＣオフセット推定手段１４１ａ，１４１ｂでの処理が４段階で行われる。
【０１２３】
第１段階の処理は、実施の形態１に係る受信装置１００における第１段階の処理と同じである。すなわち、この第１段階の処理では、部分平均算出手段１４１１ａ，１４１１ｂにおいて、前記式１に示す部分平均値M(j,1), M(j,2), M(j,3), M(j,4)の算出を行う。つまり、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【０１２４】
第２段階の処理では、ＤＣプロファイル選択手段１４１９ａ，１４１９ｂにおいて、前記第１段階の処理の結果である部分平均値M(j,1), M(j,2), M(j,3), M(j,4)をもとに図３に示したDC_1からDC_8のＤＣオフセットプロファイル候補のうち尤もらしい１つのＤＣオフセットプロファイルを選択する。
【０１２５】
このＤＣプロファイル選択手段１４１９ａ，１４１９ｂでは、前記式２と同様、これら部分平均値の隣接同士の差分の絶対値を求め、それらとしきい値th4との比較を行う。しきい値th4は、実施の形態５に係る受信装置８００で述べたとおりであり、受信尤度Ｆに基づく表１に従った値となる。そして、前記式２において、いずれも成立しなければDC_8が選択される動作となる。
【０１２６】
第３段階の処理では、実施の形態３に係る受信装置６００のＤＣオフセット電圧計算手段１４１６ａ，１４１６ｂと同じく、前記式７に示したように、選択したＤＣオフセットプロファイルに基づく各区間のＤＣオフセット電圧の計算を行う。そして、もしＤＣプロファイル選択手段１４１９ａ，１４１９ｂの結果が、DC_1〜DC_7であれば、計算は前記式３と等しくなる。しかし、ここでDC_8が送られた場合には、過去直前までの連続したＬ個の処理単位区間におけるＤＣオフセットプロファイルがDC_8であったとすると、Ｌ個の処理単位区間のＤＣオフセット電圧の平均化区間を過去に延長し移動平均を行う。
【０１２７】
前記式７の計算の前に、ＤＣプロファイル選択手段１４１９ａ，１４１９ｂの結果、DC_8が選択されていれば、処理単位区間Ｌは、１を初期値として、インクリメントされて所定の最大値Ｌmaxまで増加する。あるいは、ここで、DC_1〜DC_7であれば、処理単位区間Ｌの値は、１に初期化される。
【０１２８】
第４段階の処理では、前記式４に示すように、ＤＣオフセット推定手段１４１ａ，１４１ｂで推定されたＤＣオフセット電圧Rdc(j,t)をもとにしたＤＣオフセット電圧成分を減算器１４２ａ，１４２ｂで除去する。そして、前記式４から得られた、シンボルインデックス毎の減算結果R’Ｉ，Ｑ(j,1..N)が復調処理部１５０に入力される。
【０１２９】
なお、本例のＤＣオフセット推定手段１４１ａ，１４１ｂでの処理は、Ｉ，Ｑ独立で行われる。
【０１３０】
また、本例では分割数を４と仮定したが、この分割数はこれによらず決めることができる。
【０１３１】
また、本例でのシンボルインデックスt1,t2,t3,t4は、1<t1<t2<t3<t4<Nの条件を満たせば任意に決めることができる。
【０１３２】
（実施の形態８）
次に、本発明の実施の形態８に係る受信装置について説明する。図１１は、本実施の形態８に係る受信装置のＤＣオフセット除去手段の構成を示すブロック図である。図１１に示すように、この受信装置１１００は、ＤＣオフセット推定手段１４１ａ，１４１ｂの構成が実施の形態６に係る受信装置９００と異なる。
【０１３３】
すなわち、この受信装置１１００におけるＤＣオフセット推定手段１４１ａ，１４１ｂは、受信装置９００のＤＣプロファイル選択手段１４１８ａ，１４１８ｂとＤＣオフセット電圧計算手段１４１３ａ，１４１３ｂとを、ＤＣプロファイル選択手段１４２０ａ，１４２０ｂとＤＣオフセット電圧計算手段１４１６ａ，１４１６ｂとに置き換えた構成を有している。
【０１３４】
本実施の形態８に係る受信装置１１００においては、ＤＣオフセット推定手段１４１ａ，１４１ｂでの処理が５段階で行われる。
【０１３５】
第１段階の処理は、実施の形態１に係る受信装置１００における第１段階の処理と同じである。すなわち、この第１段階の処理では、部分平均算出手段１４１１ａ，１４１１ｂにおいて、前記式１に示した部分平均値M(j,1), M(j,2), M(j,3), M(j,4)の算出を行う。つまり、ベースバンド系列RＩ，Ｑ(j,t)が４等分に分割され、図２に示す各部分推定区間のサンプル系列RＩ，Ｑ(j,1..t1) , RＩ，Ｑ(j,t1+1..t2) , RＩ，Ｑ(j,t2+1..t3), RＩ，Ｑ(j,t3+1..N) をもとに、それらを部分推定の区間として平均値を算出する。
【０１３６】
第２段階の処理では、Ｍax値探索手段１４１４ａ，１４１４ｂにより、前記式１で求めた各部分平均値M(j,1)〜M(j,4)のうち差分の絶対値の最大値を探索する。そして、前記式５で探索された最大値Mmax(j,1..4)が第３段階の処理に送られる。
【０１３７】
第３段階の処理では、ＤＣプロファイル選択手段１４２０ａ，１４２０ｂにおいて、前記第２段階の処理の結果である部分平均値の最大値Mmax(j,1..4)をしきい値th4と比較し、図３に示すDC_1〜DC_8のＤＣオフセットプロファイル候補の尤もらしい１つのＤＣオフセットプロファイルを選択する。
【０１３８】
ここで、しきい値th4を適用して前記式６が成立すればＤＣオフセット電圧による変動として処理し、成立しなければその処理単位区間は同一ＤＣオフセット電圧であるとみなす。しきい値th4は、実施の形態５に係る受信装置８００で述べたとおりであり、受信尤度Ｆに基づく表１に従った値となる。例えば、Mmax(j,1..4)＝｜M(j,2)−M(j,3)｜≧th4 が成立する場合、DC_2が選択され、成立しない場合にはDC_8が選択される動作となる。
【０１３９】
第４段階の処理は、実施の形態７に係る受信装置１０００のＤＣオフセット電圧計算手段１４１６ａ，１４１６ｂの処理と同じである。つまり、ここでは、選択したＤＣオフセットプロファイルに基づく各区間のＤＣオフセット電圧の計算を行う。この計算は、前記式７と同じであるが、取り得るＤＣオフセットプロファイル候補は、DC_1〜DC_3, DC_8なので前記式８となる。ここで、式８の実施前に処理単位区間Ｌが決まる。Ｍax値探索手段１４１４ａ，１４１４ｂの結果、DC_8が選択されていれば処理単位区間Ｌは、１を初期値として、インクリメントされて所定の最大値Ｌmaxまで増加する。あるいは、DC_1〜DC_3であれば、処理単位区間Ｌの値は、１に初期化される。
【０１４０】
すなわち、ここでは、ＤＣオフセットプロファイルで変動点とみなされたバーストインデックスjをバウンダリとみなし、処理単位区間Ｌの各境界間の平均値を計算する。
【０１４１】
第５段階の処理では、前記式４に示すように、ＤＣオフセット推定手段１４１ａ，１４１ｂで推定されたＤＣオフセット電圧Rdc(j,t)をもとにしたＤＣオフセット電圧成分を減算器１４２ａ，１４２ｂで除去する。そして、前記式４の結果から、シンボルインデックス毎の減算結果R’Ｉ，Ｑ(j,1..N)が復調処理部１５０に入力される。
【０１４２】
なお、本例のＤＣオフセット推定手段１４１ａ，１４１ｂの処理は、Ｉ，Ｑ独立で行われる。
【０１４３】
また、本例では分割数を４と仮定したが、この分割数は、これによらず決めることができる。
【０１４４】
また、本例でのシンボルインデックスt1,t2,t3,t4は、1<t1<t2<t3<t4<Nの条件を満たせば任意に決めることができる。
【０１４５】
また、Ｍax値探索手段１４１４ａ，１４１４ｂでは、部分平均値の最大値をＤＣプロファイル選択手段１４２０ａ、１４２０ｂに送るとしたが、最大値から２個以上の探索結果をもとにＤＣプロファイルを選択する方法も考えられる。
【０１４６】
また、前記しきい値th4は、実施の形態１に係る受信装置１００のものと別ものとして考えることも可能である。
【０１４７】
また、本例においては、隣り合う区間としてＴＤＭＡバーストを想定し、バースト毎の処理単位区間を設定した説明を行ったが、ＣＤＭＡなど連続受信の信号形式でも対応可能である。
【０１４８】
また、本例は、ＴＤＭＡ方式の無線通信を想定して説明したが、ＦＳＫ、ＰＳＫ変調方式など振幅変調しない方式に対して適用可能である。また、本発明は、有線伝送でももちろん適用可能であり、伝送媒体は無線に限定されない。
【０１４９】
上述のように、各実施の形態に係る受信装置においては、受信中の定常的なＤＣオフセット電圧、すなわちＡＧＣなどゲイン制御で生じるＤＣオフセット電圧変動、ベースバンド部フロントエンドのアナログ処理によるＤＣオフセット電圧のほか、ダイレクトコンバージョンでの特徴的なＤＣオフセット電圧、すなわち自己混合とアンテナで捉えた干渉電力の作用によるＤＣオフセット電圧変動を除去することができる。
【０１５０】
また、各実施の形態に係る受信装置においては、Ａ／Ｄ変換後のディジタルＩ，Ｑに基づく演算処理でＤＣオフセット電圧の算出と除去の全てを行うため、アナログ素子が一切不要となり、特性が安定しかつコスト低減を図れる。
【０１５１】
また、各実施の形態に係る受信装置においては、ディジタルＩ,Ｑの時間分解能までの急峻なＤＣオフセット電圧変動も除去できる。
【０１５２】
このように、各実施の形態に係る受信装置においては、受信ベースバンド信号に重畳されるＤＣオフセット成分のＤＣプロファイルをディジタル信号処理で推定し、演算で除去することによりＤＣオフセット成分を理想的に除去することができるので、受信ビット誤り率の低減を最小限に抑制できる。
【０１５３】
さらに、各実施の形態に係る受信装置においては、アナログ部での除去と較べて回路規模増加がほとんどなく、また消費電力も小さいという利点がある。
【０１５４】
図１３は、受信ＡＧＣによりＤＣオフセット電圧変動が生じる様子を示す図である。一般に、アンテナの入力レベルが下がれば、ＡＧＣの作用によりAGC Gainは増加するため、ＤＣオフセット電圧も上昇することを示している。
【０１５５】
このAGC Gainの変化で生じるＤＣオフセットは受信バーストの処理単位中では一定値を採ると考えられるため、図３あるいは図５のDC_8のプロファイルが選択されるので、受信バースト区間中は一定値で、かつバースト周期で変動するＤＣオフセット電圧の除去は可能である。
【０１５６】
しかし、ダイレクトコンバージョンを用いる場合には、受信中に干渉電力によってＤＣオフセット電圧が変動する可能性を考慮して、図３あるいは図５の全ての候補から尤もなプロファイルを推定する必要がある。このＤＣオフセット電圧プロファイルの推定は、隣接する部分推定区間の差分をもとにして、変動の有無を判定することで可能である。
【０１５７】
また、実施の形態１から８までの説明では隣り合うＴＤＭＡバーストを想定しているが、隣り合う処理単位区間における差分がしきい値th3以下であれば、図１２に示すように一つの推定区間として平均区間を伸ばすことが可能となるため、ＣＤＭＡなど連続受信の伝送方式に適用した場合でも、同様に推定精度を向上することが可能である。
【０１５８】
また、受信時の雑音電力が相対的に大きくなると受信Ｉ，Ｑの振幅の分散値が次第に大きくなるため、限られたサンプル数で計算を行う部分平均算出部からの部分平均値M(j,1), M(j,2)・・・の誤差が大きくなり、誤ったＤＣオフセットを選択する確率が高くなる。
【０１５９】
そのため受信尤度情報が小さい場合には、しきい値を高くすることで、雑音の影響による誤判定の影響を抑制してＤＣオフセットプロファイルの推定誤差を小さくできる。なお、この尤度情報としては、ＲＳＳＩ値、ＳＮＲ推定値、バーストＢＥＲ推定値、および回線推定器で求めたトレーニングシーケンスのパワーなどを用いることができる。
【０１６０】
なお、実施の形態１から８までのいずれかで説明したＤＣオフセット除去手段１４０ａ、ｂを構成する要素である部分平均算出部、ＤＣプロファイル選択手段、ＤＣオフセット電圧計算手段、Ｍａｘ値探索手段などは、ハードウェアによる実現のみならず、アルゴリズムが同一であれば、ＤＳＰやＣＰＵによるソフトウェア処理でも実現することはもちろん可能である。
【産業上の利用可能性】
【０１６１】
本発明に係る受信装置は、受信ベースバンド信号に重畳されるＤＣオフセット成分のＤＣプロファイルをディジタル信号処理で推定し、演算で除去することによりＤＣオフセット成分を理想的に除去することができるので、携帯電話などディジタル通信を行う無線通信端末および有線通信端末などの受信装置として有用である。
【図面の簡単な説明】
【０１６２】
【図１】本発明の実施の形態１に係る受信装置の概略構成を示すブロック図
【図２】本発明の実施の形態１に係る受信装置におけるＤＣオフセットプロファイル推定のための部分平均処理を示す図
【図３】本発明の実施の形態１に係る受信装置におけるＤＣオフセットプロファイル推定のためのプロファイル候補を示す図
【図４】本発明の実施の形態２に係る受信装置のＤＣオフセット除去手段の構成を示すブロック図
【図５】本発明の実施の形態２に係る受信装置におけるＤＣオフセットプロファイル推定のためのプロファイル候補を示す図
【図６】本発明の実施の形態３に係る受信装置のＤＣオフセット除去手段の構成を示すブロック図
【図７】本発明の実施の形態４に係る受信装置のＤＣオフセット除去手段の構成を示すブロック図
【図８】本発明の実施の形態５に係る受信装置のＤＣオフセット除去手段の構成を示すブロック図
【図９】本発明の実施の形態６に係る受信装置のＤＣオフセット除去手段の構成を示すブロック図
【図１０】本発明の実施の形態７に係る受信装置のＤＣオフセット除去手段の構成を示すブロック図
【図１１】本発明の実施の形態８に係る受信装置のＤＣオフセット除去手段の構成を示すブロック図
【図１２】ＤＣオフセットプロファイル推定のためのプロファイル候補を示す図
【図１３】受信ＡＧＣによりＤＣオフセット電圧変動が生じる様子を示す図
【図１４】ＡＣカップリングによりＤＣオフセット電圧を除去する方法を用いた従来の受信装置の構成を示すブロック図
【図１５】（ａ）は、図１４に示す信号点Ｘにおける受信信号中の電圧変動を示す図、（ｂ）は、図１４に示す信号点Ｙにおいて生じる電圧中央値変動を示す図
【図１６】（ａ）は、図１４に示す信号点Ｘにおける受信信号を示す図、（ｂ）は、図１４に示す信号点Ｙにおけるプレヒート時間を示す図
【符号の説明】
【０１６３】
１００，４００，６００，７００，８００．９００，１０００，１１００  受信装置
１１０  アンテナ
１２０  ＲＦ受信部
１３０  アナログ・ベースバンド部
１４０ａ，１４０ｂ  ＤＣオフセット除去手段
１４１ａ，１４１ｂ  ＤＣオフセット推定手段
１４２ａ，１４２ｂ  減算器
１５０  復調処理部
１６０ａ，１６０ｂ  受信メモリ
１４１１ａ，１４１１ｂ  部分平均算出部
１４１２ａ，１４１２ｂ，１４１５ａ，１４１５ｂ，１４１７ａ，１４１７ｂ，１４１８ａ，１４１８ｂ，１４１９ａ，１４１９ｂ，１４２０ａ，１４２０ｂ  ＤＣプロファイル選択手段
１４１３ａ，１４１３ｂ，１４１６ａ，１４１６ｂ  ＤＣオフセット電圧計算手段
１４１４ａ，１４１４ｂ  Ｍａｘ値探索手段
【図１】
2006086768.tif 000014
【図２】
2006086768.tif 000015
【図３】
2006086768.tif 000016
【図４】
2006086768.tif 000017
【図５】
2006086768.tif 000018
【図６】
2006086768.tif 000019
【図７】
2006086768.tif 000020
【図８】
2006086768.tif 000021
【図９】
2006086768.tif 000022
【図１０】
2006086768.tif 000023
【図１１】
2006086768.tif 000024
【図１２】
2006086768.tif 000025
【図１３】
2006086768.tif 000026
【図１４】
2006086768.tif 000027
【図１５】
2006086768.tif 000028
【図１６】
2006086768.tif 000029